(57)【要約】  アイパッチ（１０）は、第１の領域（１６）及び第２の領域（１８）を有する材料のシートを備える単層の基体（１２）を含む。外縁（１４）は基体（１２）の周りで延在しており、スリット（２２）は第１のフラップ（２８）及び第２のフラップ（３０）を形成するために、基体（１２）を通じて延在している。第１の接着部分（４０）は、第１のフラップ（２８）及び第２のフラップ（３０）がそれぞれ第１の接着部分（４０）の一部を受容するように第１の領域（１６）に隣接して基体（１２）に適用される。第２の接着部分（４２）は、第２の領域（１８）に隣接して基体（１２）に適用され、第２の接着部分（４２）が第１の接着部分（４０）と不連続である。第１のフラップ（２８）及び第２のフラップ（３０）は、アイパッチ（１０）に略カップ状の形状を付与するために、重複配置で配置され且つ第１の接着部分（４０）によって一緒に接着されるように構成される。第１の接着部分（４０）及び第２の接着部分（４２）は、眼を取り囲む眼窩周囲組織にアイパッチ（１０）を接着するための２つの位置を提供する。
2016537041.tif 000002
【特許請求の範囲】
【請求項１】
第１の領域及び第２の領域を有する材料のシートを備える単層の基体であって、前記基体が前記基体の周りで延在している外縁と、第１のフラップ及び第２のフラップを形成するために、前記第１の領域の前記外縁上の点から前記基体の内点まで前記基体を通じて延在しているスリットと、を備える、単層の基体と、
前記第１のフラップ及び前記第２のフラップがそれぞれ第１の接着部分の一部を受容するように前記第１の領域に隣接して前記基体に適用された第１の接着部分と、
前記第２の領域に隣接して前記基体に適用された第２の接着部分であって、前記第２の接着部分が前記第１の接着部分と不連続である、第２の接着部分と、
を備えるアイパッチであって、
前記第１のフラップ及び前記第２のフラップは、前記アイパッチに略カップ状の形状を付与するために、重複配置で配置され且つ前記第１の接着部分によって一緒に接着されるように構成されており、前記第１の接着部分及び前記第２の接着部分は、眼を取り囲む眼窩周囲組織に前記アイパッチを接着するための２つの位置を提供することを特徴とするアイパッチ。
【請求項２】
前記基体が略平坦であることを特徴とする請求項１に記載のアイパッチ。
【請求項３】
前記基体は略涙形状であり、前記第２の領域に隣接して先細になっていることを特徴とする請求項１に記載のアイパッチ。
【請求項４】
前記基体は紙材料を備えることを特徴とする請求項１に記載のアイパッチ。
【請求項５】
前記第１のフラップ及び前記第２のフラップは、それぞれ対面している第１のフラップ縁部及び第２のフラップ縁部を含み、前記基体は、前記第１のフラップ及び前記第２のフラップを前記重複配置で配置するために、１つ又は複数のフラップ縁部の位置合わせ位置を指し示すための１つ又は複数のマーキングを含むことを特徴とする請求項１に記載のアイパッチ。
【請求項６】
前記スリットは、前記第１の接着部分を通じて延在していることを特徴とする請求項１に記載のアイパッチ。
【請求項７】
前記第１の接着部分は、前記第２の接着部分の略反対側に位置することを特徴とする請求項１に記載のアイパッチ。
【請求項８】
前記基体は、前記第１の接着部分と前記第２の接着部分との間に接着剤がない部分を有することを特徴とする請求項１に記載のアイパッチ。
【請求項９】
前記基体は、前記アイパッチを前記略カップ状の形状で保持するために十分な剛性を有することを特徴とする請求項１に記載のアイパッチ。
【請求項１０】
第１の領域及び第２の領域を有する材料のシートを備える単層の基体からカップ状の形状のアイパッチを形成する方法であって、前記基体が、前記基体の周りで延在している外縁と、第１のフラップ及び第２のフラップを形成するように前記第１の領域の前記外縁上の点から前記基体の内点まで前記基体を通じて延在しているスリットとを含み、前記アイパッチは、前記第１のフラップ及び前記第２のフラップがそれぞれ第１の接着部分の一部を受容するように前記第１の領域に隣接して前記基体に適用された第１の接着部分と、前記第２の領域に隣接して前記基体に適用された第２の接着部分であって、前記第２の接着部分が前記第１の接着部分と不連続である第２の接着部分と、をさらに含んでおり、
前記方法は、
略平坦な形状からカップ状の形状へ変形するように、前記アイパッチの第２のフラップと重複配置で前記アイパッチの第１のフラップを配置するステップと、
前記重複配置で前記第１のフラップを前記第２のフラップに接着するステップと、
を備えることを特徴とする方法。
【請求項１１】
前記第１のフラップ及び前記第２のフラップは、前記第１の接着部分によって一緒に接着されることを特徴とする請求項１０に記載の方法。
【請求項１２】
前記アイパッチは前記第１の接着部分によって第１の位置に接着され、前記アイパッチは前記第２の接着部分によって第２の位置に接着されることを特徴とする請求項１１に記載の方法。
【請求項１３】
前記第２のフラップと重複配置で前記第１のフラップを配置するステップの前に、前記アイパッチを裏当て材から取り外すステップをさらに備えることを特徴とする請求項１０に記載の方法。
【請求項１４】
前記アイパッチを裏当て材から取り外すステップは、前記裏当て材のロールから前記第１の接着部分及び前記第２の接着部分を分離するステップを含むことを特徴とする請求項１３に記載の方法。
【請求項１５】
アイパッチのロールであって、
裏当て材のロールと、
前記裏当て材に剥離可能に取り付けられた複数のアイパッチと、
を備え、前記複数のアイパッチのそれぞれは、
第１の領域及び第２の領域を有する材料のシートを備える単層の基体であって、前記基体が前記基体の周りで延在している外縁と、第１のフラップ及び第２のフラップを形成するために、前記第１の領域の前記外縁上の点から前記基体の内点まで前記基体を通じて延在しているスリットと、を備える、単層の基体と、
前記第１のフラップ及び前記第２のフラップがそれぞれ第１の接着部分の一部を受容するように前記第１の領域に隣接して前記基体に適用された第１の接着部分と、
前記第２の領域に隣接して前記基体に適用された第２の接着部分であって、前記第２の接着部分が前記第１の接着部分と不連続である、第２の接着部分と、
を含んでおり、
前記第１のフラップ及び前記第２のフラップは、前記アイパッチに略カップ状の形状を与えるために、重複配置で配置されるように構成され、且つ前記第１の接着部分によって一緒に接着されるように構成されており、前記第１の接着部分及び前記第２の接着部分は、眼を取り囲む眼窩周囲組織に前記アイパッチを接着するための２つの位置を提供することを特徴とするアイパッチのロール。
【発明の詳細な説明】
【技術分野】
【０００１】
本願発明は眼を塞ぐための装置に関し、特に使い捨てアイパッチに関する。
【背景技術】
【０００２】
患者の眼を塞ぐ又は遮るための装置は、いくつかの種類の臨床処置のために使用される。例えば、そのような装置は一般に、患者の眼の間での視力の差を試験するために、単眼の検査中に使用される。塞ぐための装置は、使い捨てではなくてもよく、又は使い捨てであってもよいが、それぞれに関連する潜在的な問題がある。
【０００３】
単眼の検査処置で使用された、使い捨てではない一般的な塞ぐための装置は、略パドル形状であり、患者の眼を塞ぐために、患者の眼に対してかざされる。臨床医又は患者は、この種の塞ぐための装置を保持しなければならない。しかしながら、このことは望ましくない。なぜならば、臨床医が塞ぐための装置を保持する場合に、処置中の患者に対する臨床医の動く能力は制限されるからである。さらに、高齢の患者又は子供は、処置の必要な期間、塞ぐための装置を保持することが困難である場合がある。さらに、この種の塞ぐための装置は、塞ぐための装置が再使用されるので、病気をうつす危険性を呈しており、様々な患者の眼の分泌物と接触状態になる可能性がある。
【０００４】
他の種類の使い捨てではない塞ぐための装置において、織物パッチは、伝統的な「海賊の眼帯」の外見と類似である、患者の頭部の周りに配置された弾性バンドによって患者の眼の上に保持される。典型的には、この種のパッチは、パッチと患者の眼との間に配置された薄い織物片と組み合わせて使用され、薄い織物はパッチが着用される間、患者のまぶたと圧縮接触状態を維持する。しかしながら、そのようなパッチは基本的に平らであり、患者の頭部の周りの窮屈度の調節以外の制限された調節を提供する。さらに、この種のパッチが取り外された後で、パッチで以前覆われていた患者の眼は、薄い織物及びパッチによる圧縮を調節するために一定の時間を要する。
【０００５】
使い捨ての塞ぐための装置は、ゴルモアらによる米国特許第６，１４９，６１５号に記載されている。この米国特許は、弱視又は斜視の治療のために使用されるアイパッチに向けられる。ゴルモアらは、他の眼における視覚的機能を取り戻すために、パッチが患者の健康な眼の上に配置されること及びそのようなパッチが一度に数か月着用されることができることを開示する。患者の眼は、パッチが着用される間閉じている。ゴルモアらのアイパッチは、外側膜に接着された発泡パッドを含み、外側膜は発泡パッドの周縁を超えて延在している。ゴルモアらのアイパッチの外側膜は、患者の視覚を完全に見えなくするとともに、患者の顔にアイパッチをしっかりと固定するために、発泡パッドを全体的に取り囲む接着剤を含む。ゴルモアらは、発泡パッドが凹凸形状でアイパッチを支持することを必要とすることを記載している。しかしながら、眼検査処置における使用のためのこの種のアイパッチを使用することは経済的でもなく、容易でもない。なぜならば、眼の検査のための塞ぐための装置が発泡パッドを必要とせず、塞いだ眼における患者の視覚を完全に見えなくする方法で塞ぐための装置を接着しないからである。
【０００６】
使い捨ての塞ぐための装置の他の例は、メシェルらによる米国特許第５，１９１，８９７号に示されており、この米国特許は、患者の顔又は眼鏡に一時的に接着される平らな眼閉塞装置に向けられる。メシェルらの閉塞装置は、眼の上で患者の顔に接着され、且つ眼の上にかけるように構成される。使用後に、閉塞装置は取り除かれる。しかしながら、そのような閉塞装置は、患者の眼、まぶた、又は睫毛と接触する場合があり、接触に起因するある程度の眼との干渉又は接触に起因するある程度の患者の不快感を引き起こす。患者が長い睫毛又はふさふさした睫毛を有する場合は、このことが起こる可能性が特に高い。例えば、プロスタグランジン類似体（ＰＧＡ）の薬剤は、緑内障の治療のために使用されており、睫毛の成長を引き起こす場合がある。プロスタグランジン類似体の治療を受けた患者又は長い睫毛又はふさふさした睫毛を有する患者は、メシェルらの閉塞装置などの塞ぐための装置が使用中に干渉又は不快感を引き起こすことを発見する場合がある。
【発明の概要】
【発明が解決しようとする課題】
【０００７】
本願発明は、前述の問題、並びに、使い捨てアイパッチを含む周知のアイパッチの他の短所及び欠点を克服する。本願発明がある実施形態と関連して記載されるけれども、本願発明がそれらの実施形態に限定されないことは理解されるだろう。それとは反対に、この発明は、本願発明の精神及び技術的範囲内に含まれることができる全ての代替物、変更、及び同等物を含む。
【０００８】
本願発明の一の実施形態によれば、アイパッチは、第１の領域及び第２の領域を有するシートの材料を備える単層の基体を備える。外縁は基体の周りで延在しており、スリットは第１のフラップ及び第２のフラップを形成するために、第１の領域の外縁上の点から基体の内点まで基体を通じて延在している。第１の接着部分は、第１のフラップ及び第２のフラップがそれぞれ第１の接着部分の一部を受容するように第１の領域に隣接して基体に適用される。第２の接着部分は、第２の領域に隣接して基体に適用され、第２の接着部分が第１の接着部分と不連続である。第１のフラップ及び第２のフラップは、アイパッチに略カップ状の形状を付与するために、重複配置で配置され且つ第１の接着部分によって一緒に接着されるように構成される。第１の接着部分及び第２の接着部分は、眼を取り囲む眼窩周囲組織にアイパッチを接着するための２つの位置を提供する。
【０００９】
本願発明の他の実施形態によれば、第１の領域及び第２の領域を有する材料のシートを備える単層の基体からカップ状の形状のアイパッチを形成する方法が提供される。基体は、基体の周りで延在している外縁と、第１のフラップ及び第２のフラップを形成するように第１の領域の外縁上の点から基体の内点まで基体を通じて延在しているスリットとを含む。アイパッチは、第１のフラップ及び第２のフラップがそれぞれ第１の接着部分の一部を受容するように第１の領域に隣接して基体に適用された第１の接着部分と、第２の領域に隣接して基体に適用された第２の接着部分とをさらに含む。第２の接着部分は第１の接着部分と不連続である。この方法は、平坦な形状からカップ状の形状へ変形するように、アイパッチの第２のフラップと重複配置でアイパッチの第１のフラップを配置するステップを含む。この方法は、重複配置で第１のフラップを第２のフラップに接着するステップをさらに含む。
【００１０】
本願発明の他の実施形態によれば、アイパッチのロールが提供され、裏当て材のロールと、裏当て材に剥離可能に取り付けられた複数のアイパッチとを含む。各アイパッチは、第１の領域及び第２の領域を有する材料のシートを備える単層の基体を含む。外縁は基体の周りで延在しており、スリットは、第１のフラップ及び第２のフラップを形成するために、第１の領域の外縁上の点から基体の内点まで基体を通じて延在している。第１の接着部分は、第１のフラップ及び第２のフラップがそれぞれ第１の接着部分の一部を受容するように、第１の領域に隣接して基体に適用される。第２の接着部分は第２の領域に隣接して基体に適用されており、第２の接着部分は第１の接着部分と不連続である。第１のフラップ及び第２のフラップは、アイパッチに略カップ状の形状を与えるために、重複配置で配置されるように構成され、且つ第１の接着部分によって一緒に接着されるように構成されている。第１の接着部分及び第２の接着部分は、眼を取り囲む眼窩周囲組織にアイパッチを接着するための２つの位置を提供する。
【００１１】
本願発明の上記の目的及び他の目的は、添付した図面及びその説明から明らかになるであろう。
【００１２】
明細書内に組み込まれ、且つ明細書の一部を構成する添付した図面は本願発明の実施形態を図示しており、上記に記載された本願発明の一般的な説明及び以下に記載された実施形態の詳細な説明と共に、本願発明の原理を説明するのに役立つ。
【図面の簡単な説明】
【００１３】
【図１】本願発明の一の実施形態による２つのアイパッチを示す等角図である。
【図２】その第１のフラップが第２のフラップに対して持ち上がっている状態の、本願発明の一の実施形態によるアイパッチの等角図である。
【図３】第１のフラップ及び第２のフラップが重複配置で配置され、且つ一緒に接着された後の図２のアイパッチを示す等角図である。
【図４】図３のアイパッチを示す横断面図である。
【図５】本願発明の一の実施形態による複数のアイパッチのロールを示す等角図である。
【図６】患者の顔に配置されたアイパッチを示す等角環境図である。
【図７】図６のアイパッチを示す部分断面側面図である。
【発明を実施するための形態】
【００１４】
図面、特に図１〜図４を次いで参照すると、本願発明の一の実施形態によるアイパッチ１０が示される。以下の説明から明らかであるように、アイパッチ１０は、眼検査処置中に患者の眼を一時的に塞ぐ又は遮るための使い捨て装置として役立つ。さらに、アイパッチ１０は、患者のまぶたを圧迫しない又は眼球運動を制限しない輪郭形状（ｃｏｎｔｏｕｒｅｄ  ｓｈａｐｅ）を提供する複数の特徴を含む。特に、アイパッチ１０は、略平坦な形状又は平らな形状からカップ状の形状へ容易に変形される。カップ状の形状はアイパッチ１０が患者のまぶたとの接触を避けることを可能にする。
【００１５】
アイパッチ１０は一般的に、単層の基体１２を含む。この単層の基体１２は、示された実施形態において、涙形状を有する材料のシートを含む。外縁１４は、基体１２の周辺の周りに延在している。基体１２は、第１の領域１６及び第２の領域１８を含む。第１の領域は、第２の領域１８と略反対側に位置しており、第２の領域１８は涙形状の先細のタブ２０に隣接してもよい。基体１２は、図１及び図２に示された略平らな構成で配置され得るように略平坦な形状を有する。基体１２はまた一般的に可撓性を有しており、以下により詳細に記載されるように、例えばアイパッチ１０に深さ要素を提供するために、もはや平坦な形状を有しないように変形されることができる。
【００１６】
基体１２はスリット２２を含む。特に、スリット２２は、外縁１４上の点２４から基体１２の内点２６まで基体１２を通じて延在している。点２４は、第１の領域１６の外縁１４上に実質的に位置しており、内点２６は基体１２内に略中央に位置する。スリット２２は第１のフラップ２８及び第２のフラップ３０を形成する。第１のフラップ２８及び第２のフラップ３０はそれぞれ、スリット２２の位置でそれぞれ対面しているフラップ縁部３２及び３４を有する。
【００１７】
基体１２は、２つの対向する面、第１の面３６及び第２の面３８を有する。第１の面３６は一般的に、アイパッチ１０が患者の顔に適用された場合に患者の眼に面する。第２の面３８は、アイパッチ１０が患者の顔に適用された場合に患者から離れて面する。
【００１８】
アイパッチ１０は、第１の接着部分４０及び第２の接着部分４２を含む。第１の接着部分４０及び第２の接着部分４２は、図２に示されるように、基体１２の第１の面３６に適用される。特に、第１の接着部分４０は、第１の領域１６に隣接して基体１２に適用される。そして、第２の接着部分４２は、第２の領域１８に隣接して基体１２に適用される。第１の接着部分４０は、第２の接着部分４２と異なっており、且つ第２の接着部分４２と不連続である。図示されるように、スリット２２は、第１の接着部分４０を通じて延在している。また、第１の接着部分４０は、第２の接着部分４２と略反対側であり、基体１２は一般的に、第１の接着部分４０と第２の接着部４２との間に接着剤が存在しない部分を有する。
【００１９】
第１の接着部分４０及び第２の接着部分４２は、アイパッチ１０を患者の顔に一時的に接着するために使用される。さらに、第１の接着部分４０はまた、基体１２がアイパッチ１０に深さ要素を提供する構成へ変形された場合に、第１のフラップ縁部２８及び第２のフラップ縁部３０を一緒に接着するために使用される。
【００２０】
アイパッチ１０は、第１のフラップ縁部２８及び第２のフラップ縁部３０が図３及び図４に示されるように、重複配置で配置され且つ一緒に接着されることを可能にするように構成される。例えば、基体１２は、第１のフラップ２８の第２の面３８が第２のフラップ３０の第１の面３６と対面関係（ｃｏｎｆｒｏｎｔｉｎｇ  ｒｅｌａｔｉｏｎｓｈｉｐ）で配置されるように変形されることができる。次いで、第１のフラップ２８の第２の面３８は、第２のフラップ３０の第１の面３６上で、第１の接着部分４０と接触係合状態で押圧されることができる。それによって、第１のフラップ２８及び第２のフラップ３０が図３に示されるように、第１の接着部分４０によって一緒に接着される。代替的には、基体１２は、第１のフラップ２８の第１の面３６が第２のフラップ３０の第２の面３８と対面関係で配置されるように、変形されることができる。次いで、第２のフラップ３０の第２の面３８は、第１のフラップ２８の第１の面３６上で、第１の接着部分４０と接着係合状態で押圧されることができ、それによって、第１のフラップ２８及び第２のフラップ３０が第１の接着部分４０によって一緒に接着される。
【００２１】
一旦基体１２がそのように変形されると、つまり一旦第１のフラップ２８及び第２のフラップ３０が互いに接着されると、アイパッチ１０は、図３及び図４に示されるように、もはや平坦ではなく、深さを有する。特に、アイパッチ１０は、開いた円錐（ｏｐｅｎ  ｃｏｎｅ）にやや類似である、輪郭カップ状の形状を取る。円錐の点４４は、内点２６で形成されており、内部空間４６は、外縁１４と点４４との間の深さ内に形成される。内部空間４６は、以下に記載されるように、アイパッチ１０が患者の顔に適用された場合に、患者の眼の上方に間隙を提供する。アイパッチ１０の深さの範囲は、第１のフラップ２８及び第２のフラップ３０の重複範囲を調節することによって選択されることができる。例えば、浅い深さは、第１のフラップ２８及び第２のフラップ３０がより小さい範囲で重複する場合に形成される。より深い深さは、第１のフラップ２８及び第２のフラップ３０がより大きい範囲で重複する場合に形成される。いくつかの実施形態において、第１のフラップ２８及び第２のフラップ３０は、重複範囲を調節するために、且つアイパッチ１０の深さを変更するために、一緒に接着された後で分離されてもよい。アイパッチ１０は、一旦アイパッチが上記のカップ状の形状になると、基本的に自立しており、そのカップ状の形状を維持するために追加の構造を必要としない。
【００２２】
任意選択的に、図２に示されるように、基体１２は、第１のフラップ２８及び第２のフラップ３９を重複配置で配置するために、フラップ縁部の位置合わせ位置を指し示すための１つ又は複数のマーキング４７を含むことができる。例えば、マーキング４７は、第１のフラップ２８及び第２のフラップ３０が重複配置で配置され、且つ一緒に接着される場合に、フラップ縁部３２及び３４を位置合わせするための適切な位置を示すように、基体１２の第１の面３６上に設けられることができる。
【００２３】
基体１２は、アイパッチ１０を上記のカップ状の形状で保持するのに十分な剛性を有する紙材料又は他の適切な材料から形成されてもよい。有利には、アイパッチ１０は使い捨てであり、一回の使用後の廃棄のために適切な材料から形成される。いくつかの実施形態において、基体１２は、一般的に市販されているレインボー・デュオ・フィニッシュ・エコノミー・クラフトペーパーであってもよい。
【００２４】
第１の接着部分４０及び第２の接着部分４２は、任意の適切な材料から形成されてもよく、又は、任意の適切な材料を含んでもよい。例えば、第１の接着部分４０及び第２の接着部分４２は、接着部分を有する部品が対象に対して押圧された場合に対象に貼り付けるのに役立つ感圧接着剤を含んでもよい。例えば、第１の接着部分４０及び第２の接着部分４２は、アイパッチ１０が（１）処置中に患者の顔に貼り付けること及び（２）処置が完了した場合に、患者の顔から容易に取り外されることの両方を可能にする材料から製造されてもよい。いくつかの実施形態において、第１の接着部分４０及び第２の接着部分４２は、ペンシルベニア州フィラデルフィアのＣＣＴ社（Ｃｏａｔｉｎｇ  ａｎｄ  Ｃｏｎｖｅｒｔｉｎｇ  Ｔｅｃｈｎｏｌｏｇｉｅｓ社）から市販されているＭ１６７５型接着テープを含んでもよい。
【００２５】
図５に示されるように、複数のアイパッチ１０を含むアイパッチのロール４８が提供されることができる。特に、ロール４８は、裏当て材のロール５０を含み、複数のアイパッチ１０は、裏当て材５０に剥離可能に取り付けられる。特に、第１の接着部分４０及び第２の接着部分４２は、複数のアイパッチ１０を裏当て材５０に固定する。示されるように、複数のアイパッチ１０は、それらの平坦な状態でロール４８上に提供される。任意選択的に、裏当て材５０は複数のアイパッチ１０の間にミシン目を含んでもよく、それによって、１つ又は複数のアイパッチ１０を有する裏当て材５０の区画がロール４８から容易に分離されることを可能にする。いくつかの実施形態において、裏当て材５０は、オハイオ州マイアミズバーグのＳｉｌＴｅｃｈ社から市販されている番号５４．７のホワイト・グラシンライナーＬ−３（製品品目番号９０１９０５４）であってもよい。
【００２６】
アイパッチ１０は、ロール４８から取り外されることができ、上述したように、アイパッチに深さ要素を与えるために変形されることができる。特に、第１の接着部分４０及び第２の接着部分４２は、裏当て材５０から分離されており、次いで、第１のフラップ２８及び第２のフラップ３０は重複配置で配置され、一緒に接着される。アイパッチ１０は次いで、患者の顔に適用するために準備される。
【００２７】
図６及び図７を参照すると、患者の顔５２に適用されたアイパッチ１０が示される。特に、アイパッチ１０は、患者の眼５４を塞ぐように患者の顔５２上に位置付けられ、このことは、アイパッチ１０が存在する状態で開いた状態を維持する。アイパッチ１０は、患者の眼５４を取り囲んでいる眼窩周囲組織５６に２つの位置で接着される。具体的に、アイパッチ１０は、第１の接着部分４０によって第１の位置５８で接着され、且つ第２の接着部分４２によって第２の位置６０で接着される。例えば、示されるように、第１の位置５８は患者の眼５４と耳６４との間に位置することができ、第２の位置６０は患者の眼５４と鼻６２との間に位置することができる。他の適切な位置も可能である。アイパッチ１０は、第１の位置５８及び第２の位置６０以外の眼窩周囲組織５６と接着していない。
【００２８】
アイパッチ１０がカップ状の形状を有するので、基体１２は、患者の眼５４と接触しない。特に、患者の眼５４に面している基体１２の第１の面３６は、患者のまぶた６６から離隔されており、且つ患者のまぶた６６を圧迫しない。そうでなければ、眼球運動を制限しない。さらに、アイパッチ１０は、患者の睫毛６８と接触せず、又は患者の睫毛と干渉しない。有利には、患者は、処置中に眼５４が開いた状態を維持することができる。このことは、多くの眼検査処置にとって好ましい方法である。
【００２９】
処置後、アイパッチ１０は、患者の顔から容易に取り外される。具体的には、アイパッチ１０は、患者の第１の位置５８及び第２の位置６０で患者の顔から分離される。次いで、アイパッチ１０は廃棄されることができる。新しいアイパッチ１０は、眼の検査を受けている新しい患者それぞれのために使用されることができる。
【００３０】
本願発明が様々な実施形態の説明によって図示され、それらの実施形態が多少詳細に記載されているけれども、それらは、添付した特許請求の範囲の技術的範囲を制限する又は多少なりとも限定するものではない。さらなる利点及び変更は、当業者であれば容易に明らかであろう。本願発明の様々な特徴は、使用者のニーズや好みに応じて又はそれらを組み合わせて使用してもよい。このことは、現在知られているように本願発明を実施する方法と共に、本願発明で説明されている。しかしながら、本願発明自体は、添付された特許請求の範囲によってのみ画定されるべきである。
【符号の説明】
【００３１】
１０  アイパッチ
１２  基体
１４  外縁
１６  第１の領域
１８  第２の領域
２０  先細のタブ
２２  スリット
２４  外縁上の点
２６  内点
２８  第１のフラップ
３０  第２のフラップ
３２  第１のフラップ縁部
３４  第２のフラップ縁部
３６  第１の面
３８  第２の面
４０  第１の接着部分
４２  第２の接着部分
４４  円錐の点
４６  内部空間
４７  マーキング
４８  アイパッチのロール
５０  裏当て材のロール、裏当て材
５２  患者の顔
５４  患者の眼
５６  眼窩周囲組織
６２  鼻
６４  耳
６６  まぶた
６８  睫毛
【図１】
2016537041.tif 000003
【図２】
2016537041.tif 000004
【図３】
2016537041.tif 000005
【図４】
2016537041.tif 000006
【図５】
2016537041.tif 000007
【図６】
2016537041.tif 000008
【図７】
2016537041.tif 000009
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
第１の領域及び第２の領域を有する材料のシートを備える単層の基体であって、前記基体が前記基体の周りで延在している外縁と、第１のフラップ及び第２のフラップを形成するために、前記第１の領域の前記外縁上の点から前記基体の内点まで前記基体を通じて延在しているスリットと、を備える、単層の基体と、
前記スリットが前記第１のフラップ及び前記第２のフラップ上で受容された第１の接着部分の一部の間に延在する状態で、前記第１のフラップ及び前記第２のフラップがそれぞれ第１の接着部分の一部を受容するように前記第１の領域に隣接して前記基体に適用された第１の接着部分と、
前記第２の領域に隣接して前記基体に適用された第２の接着部分であって、前記第２の接着部分が前記第１の接着部分と不連続である、第２の接着部分と、
を備えるアイパッチであって、
前記第１のフラップ及び前記第２のフラップは、前記アイパッチに略カップ状の形状を付与するために、重複配置で配置され且つ前記第１の接着部分によって一緒に接着されるように構成されており、前記第１の接着部分及び前記第２の接着部分は、眼を塞ぐように、眼を取り囲む眼窩周囲組織に前記アイパッチを接着するための２つの位置を提供することを特徴とするアイパッチ。
【請求項２】
前記基体が略平坦であることを特徴とする請求項１に記載のアイパッチ。
【請求項３】
前記基体は略涙形状であり、前記第２の領域に隣接して先細になっていることを特徴とする請求項１に記載のアイパッチ。
【請求項４】
前記基体は紙材料を備えることを特徴とする請求項１に記載のアイパッチ。
【請求項５】
前記第１のフラップ及び前記第２のフラップは、それぞれ対面している第１のフラップ縁部及び第２のフラップ縁部を含み、前記基体は、前記第１のフラップ及び前記第２のフラップを前記重複配置で配置するために、１つ又は複数のフラップ縁部の位置合わせ位置を指し示すための１つ又は複数のマーキングを含むことを特徴とする請求項１に記載のアイパッチ。
【請求項６】
前記スリットは、前記第１の接着部分を通じて延在していることを特徴とする請求項１に記載のアイパッチ。
【請求項７】
前記第１の接着部分は、前記第２の接着部分の略反対側に位置することを特徴とする請求項１に記載のアイパッチ。
【請求項８】
前記基体は、前記第１の接着部分と前記第２の接着部分との間に接着剤がない部分を有することを特徴とする請求項１に記載のアイパッチ。
【請求項９】
前記基体は、前記アイパッチを前記略カップ状の形状で保持するために十分な剛性を有することを特徴とする請求項１に記載のアイパッチ。
【請求項１０】
第１の領域及び第２の領域を有する材料のシートを備える単層の基体からカップ状の形状のアイパッチを形成する方法であって、前記基体が、前記基体の周りで延在している外縁と、第１のフラップ及び第２のフラップを形成するように前記第１の領域の前記外縁上の点から前記基体の内点まで前記基体を通じて延在しているスリットとを含み、前記アイパッチは、前記スリットが前記第１のフラップ及び前記第２のフラップ上で受容された第１の接着部分の一部の間に延在する状態で、前記第１のフラップ及び前記第２のフラップがそれぞれ第１の接着部分の一部を受容するように前記第１の領域に隣接して前記基体に適用された第１の接着部分と、前記第２の領域に隣接して前記基体に適用された第２の接着部分であって、前記第２の接着部分が前記第１の接着部分と不連続である第２の接着部分と、をさらに含んでおり、
前記方法は、
略平坦な形状からカップ状の形状へ変形するように、前記アイパッチの第２のフラップと重複配置で前記アイパッチの第１のフラップを配置するステップと、
前記アイパッチが眼を取り囲む眼窩周囲組織に接着された場合に、前記アイパッチが前記眼を塞ぐために構成されるように、前記重複配置で前記第１のフラップを前記第２のフラップに接着するステップと、
を備えることを特徴とする方法。
【請求項１１】
前記第１のフラップ及び前記第２のフラップは、前記第１の接着部分によって一緒に接着されることを特徴とする請求項１０に記載の方法。
【請求項１２】
前記アイパッチは前記第１の接着部分によって第１の位置に接着され、前記アイパッチは前記第２の接着部分によって第２の位置に接着されることを特徴とする請求項１１に記載の方法。
【請求項１３】
前記第２のフラップと重複配置で前記第１のフラップを配置するステップの前に、前記アイパッチを裏当て材から取り外すステップをさらに備えることを特徴とする請求項１０に記載の方法。
【請求項１４】
前記アイパッチを裏当て材から取り外すステップは、前記裏当て材のロールから前記第１の接着部分及び前記第２の接着部分を分離するステップを含むことを特徴とする請求項１３に記載の方法。
【請求項１５】
アイパッチのロールであって、
裏当て材のロールと、
前記裏当て材に剥離可能に取り付けられた複数のアイパッチと、
を備え、前記複数のアイパッチのそれぞれは、
第１の領域及び第２の領域を有する材料のシートを備える単層の基体であって、前記基体が前記基体の周りで延在している外縁と、第１のフラップ及び第２のフラップを形成するために、前記第１の領域の前記外縁上の点から前記基体の内点まで前記基体を通じて延在しているスリットと、を備える、単層の基体と、
前記スリットが前記第１のフラップ及び前記第２のフラップ上で受容された第１の接着部分の一部の間に延在する状態で、前記第１のフラップ及び前記第２のフラップがそれぞれ第１の接着部分の一部を受容するように前記第１の領域に隣接して前記基体に適用された第１の接着部分と、
前記第２の領域に隣接して前記基体に適用された第２の接着部分であって、前記第２の接着部分が前記第１の接着部分と不連続である、第２の接着部分と、
を含んでおり、
前記第１のフラップ及び前記第２のフラップは、前記アイパッチに略カップ状の形状を与えるために、重複配置で配置されるように構成され、且つ前記第１の接着部分によって一緒に接着されるように構成されており、前記第１の接着部分及び前記第２の接着部分は、眼を塞ぐように眼を取り囲む眼窩周囲組織に前記アイパッチを接着するための２つの位置を提供することを特徴とするアイパッチのロール。
【国際調査報告】
2016537041.tif 000010
2016537041.tif 000011